(57)【要約】  筐体と、板状部材と、筐体の前面に取り付けられ、板状部材を挿入する挿入空間を内部に有する扉と、を備え、扉は、挿入空間よりも少なくとも前面側が透明部材で構成され、扉の一側面には、扉の外部と挿入空間とを連通する開口部が設けられ、板状部材の側面のうち、板状部材が挿入空間に対して挿入される挿入方向に位置する側面の一部には、挿入方向に向かって突出する突出部が設けられている。
2016208072.tif 000002
【特許請求の範囲】
【請求項１】
筐体と、
板状部材と、
前記筐体の前面に取り付けられ、前記板状部材を挿入する挿入空間を内部に有する扉と、を備え、
前記扉は、前記挿入空間よりも少なくとも前面側が透明部材で構成され、
前記扉の一側面には、前記扉の外部と前記挿入空間とを連通する開口部が設けられ、
前記板状部材の側面のうち、前記板状部材が前記挿入空間に対して挿入される挿入方向に位置する側面の一部には、前記挿入方向に向かって突出する突出部が設けられている
冷蔵庫。
【請求項２】
前記突出部は、
前記板状部材が前記挿入方向に位置する側面の両端に設けられている
請求項１に記載の冷蔵庫。
【請求項３】
前記板状部材には厚み方向に貫通する貫通孔が設けられ、
前記板状部材よりも前記扉の前面側には電極シートが設けられ、
前記板状部材よりも前記扉の背面側には発光源が設けられ、
前記発光源は、前記電極シート側に向かって光が出射されるように構成されている
請求項１又は請求項２に記載の冷蔵庫。
【請求項４】
前記電極シートが前記板状部材に取り付けられ、前記板状部材が前記挿入空間に挿入された状態において、前記板状部材の厚み方向に、前記電極シート、前記貫通孔、前記発光源が直線上に位置している
請求項３に記載の冷蔵庫。
【請求項５】
前記透明部材の背面下端であって前記開口部の開口縁よりも内方には樹脂部材が設けられている
請求項１〜請求項４の何れか一項に記載の冷蔵庫。
【請求項６】
前記板状部材が前記挿入空間に対して挿入された状態で、前記板状部材のうち前記突出部が設けられる側面の反対側に位置する側面は、前記扉のうち前記開口部が設けられる側面と同一平面上に位置する
請求項１〜請求項５の何れか一項に記載の冷蔵庫。
【請求項７】
前記板状部材のうち前記突出部が設けられる側面の反対側に位置する側面は、前記扉のうち前記開口部が設けられる側面と同一色で構成されている
請求項６に記載の冷蔵庫。
【発明の詳細な説明】
【技術分野】
【０００１】
本発明は、冷蔵庫に関し、特に操作パネルを有する冷蔵庫に関する。
【背景技術】
【０００２】
近年、冷蔵庫の操作パネルは、タッチセンサー方式のものが主流となっている。このようなタッチセンサー方式の操作パネルを搭載した冷蔵庫として例えば、ガラスで構成された扉を備え、扉の内部に基板部品を挿入する空間である挿入部が設けられ、挿入部に基板部品を挿入した状態で基板部品が扉の内部であって扉のガラス裏面に位置するように構成され、光源を用いてタッチ操作部分を点灯し表示させるようなものがある。【０００３】
しかしながら、上述したように扉のガラス裏面に基板部品を設けると、基板部品を挿入部に挿入する場合に、基板部品の一部がガラス裏面に接触したままスライドしてガラスの裏面の印刷層を傷つける場合がある。傷ついたガラスの部位が基板部品の光源箇所と重なると、光源から出射された光が当該部位を部分的に透過し、扉の前面から操作パネルを視認した場合に、当該部位がピンホールのように目立って意匠性が悪化する場合があった。【０００４】
このような意匠性の悪化を改善するために従来、基板部品にスライド部材を設け、挿入部にガイドを設け、基板部品を挿入部に挿入した場合に、基板部品とガラス裏面との間に一定の距離を保持するように構成された冷蔵庫があった（例えば、特許文献１，２参照）。
【先行技術文献】
【特許文献】
【０００５】
【特許文献１】特許第４９７０６１７号公報
【特許文献２】特許第４９７０６１８号公報
【発明の概要】
【発明が解決しようとする課題】
【０００６】
しかしながら、特許文献１，２に記載の冷蔵庫は、基板部品にスライド部材を設け、挿入部にガイドを設けるような構成となっているため、型の構成が複雑になってコストを要するという課題があった。【０００７】
本発明は、上述のような課題を背景としてなされたものであり、従来よりも意匠性を損なわないで従来よりもコストを低減する冷蔵庫を得ることを目的とする。
【課題を解決するための手段】
【０００８】
本発明は、筐体と、板状部材と、前記筐体の前面に取り付けられ、前記板状部材を挿入する挿入空間を内部に有する扉と、を備え、前記扉は、前記挿入空間よりも少なくとも前面側が透明部材で構成され、前記扉の一側面には、前記扉の外部と前記挿入空間とを連通する開口部が設けられ、前記板状部材の側面のうち、前記板状部材が前記挿入空間に対して挿入される挿入方向に位置する側面の一部には、前記挿入方向に向かって突出する突出部が設けられているものである。
【発明の効果】
【０００９】
本発明によれば、板状部材が扉の内部に挿入される場合に、板状部材が挿入空間に対して収納される挿入方向に位置する側面の一部に位置する突出部が、板状部材の他の部位に先行して挿入空間に収納されることとなる。このため、突出部の突出量分だけ突出部が挿入空間に収納された状態で、板状部材が挿入方向に移動する際の角度がほぼ規定され、板状部材を挿入空間に収納する過程において、板状部材が透明部材を傷つける可能性を低減することができる。以上のようにして、従来よりも意匠性を損なわないで従来よりもコストを低減することができる。
【図面の簡単な説明】
【００１０】
【図１】本発明の実施の形態１に係る冷蔵庫１の正面図である。
【図２】本発明の実施の形態１に係る冷蔵庫１の縦断面図である。
【図３】本発明の実施の形態１に係る冷蔵庫１の扉３０の正面図である。
【図４】本発明の実施の形態１に係る冷蔵庫１の操作表示部６の表示例を示す図である。
【図５】本発明の実施の形態１に係る冷蔵庫１の扉３０の構成部材を示す図である。
【図６】本発明の実施の形態１に係る冷蔵庫１の電極シート１１及び板状部材１２を示す図である。
【図７】本発明の実施の形態１に係る冷蔵庫１の板状部材１２の背面図である。
【図８】本発明の実施の形態１に係る冷蔵庫１の板状部材１２の正面図である。
【図９】本発明の実施の形態１に係る冷蔵庫１の電極シート１１を示す図である。
【図１０】本発明の実施の形態１に係る冷蔵庫１の板状部材１２の斜視図である。
【図１１】本発明の実施の形態１に係る冷蔵庫１の扉３０の縦断面図である。
【図１２】図１１のＡ部分の拡大図である。
【図１３】図１１のＡ部分の拡大図であり、板状部材１２が挿入空間３０Ｂに挿入される状態を示す図である。
【図１４】本発明の実施の形態１に係る冷蔵庫１の発光源２６と他の部材との位置関係を示す図である。
【発明を実施するための形態】
【００１１】
以下、本発明の空気調和機について、図面を用いて詳細に説明する。なお、以下の図面では各構成部材の大きさの関係が実際のものとは異なる場合がある。また、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１２】
実施の形態１．
図１は本発明の実施の形態１に係る冷蔵庫１の正面図である。図２は本発明の実施の形態１に係る冷蔵庫１の縦断面図である。図３は本発明の実施の形態１に係る冷蔵庫１の扉３０の正面図である。図４は本発明の実施の形態１に係る冷蔵庫１の操作表示部６の表示例を示す図である。
【００１３】
図１に示されるように、冷蔵庫１は、外郭を構成する筐体１Ａを備える。筐体１Ａは、例えば、直方体である。筐体１Ａの内部には、冷蔵室１００、切替室２００、製氷室３００、冷凍室４００、野菜室５００等の貯蔵室が設けられている。各貯蔵室に対応して扉３０が各々取り付けられている。冷蔵室１００に対応して設けられる扉３０には操作表示部６が設けられている。
【００１４】
冷蔵室１００は、最上部に開閉ドアを備えて配置される空間である。切替室２００は、冷蔵室１００の下方に冷凍温度帯（−１８℃）から冷蔵（３℃）、チルド（０℃）、ソフト冷凍（−７℃）などの各温度帯に切り替えることのできる引き出しドアを備えた空間である。製氷室３００は、切替室２００と並列に配置される引き出しドアを備えた空間である。冷凍室４００は、切替室２００と製氷室３００の下方に配置される引き出しドアを備えた空間である。野菜室５００は、最下部に配置される引き出しドアを備えた空間である。なお、冷蔵庫の形態は上述した構成に限定されるものではない。例えば、切替室２００及び製氷室３００を設けないで構成してもよいし、冷凍室４００と野菜室５００との位置を逆に構成してもよい。
【００１５】
図２に示されるように、筐体１Ａの内部には、圧縮機２、冷却器３、送風ファン４、サーミスタ（図示省略）、風路５、及び制御手段（図示省略）が設けられている。圧縮機２は、高温高圧の冷媒に圧縮して吐出するものである。冷却器３は、空気を冷却する熱交換器である。送風ファン４は、冷却器３により冷却された冷気を各貯蔵室へ送出する送風手段である。サーミスタは、例えば、各貯蔵室の温度を検知する温度検出手段であり、各貯蔵室に設けられている。風路５は、冷却器３により冷却された冷気を各貯蔵室へ導入するための空間である。
【００１６】
制御手段（図示省略）は、例えば、サーミスタの検知温度に基づいて、予め設定された温度になるように、圧縮機２の能力、送風ファン４の送風量、風路５に設置されたダンパ（図示省略）の開度を調整するものである。制御手段は、例えば、この機能を実現する回路デバイスなどのハードウェア、又はマイコン若しくはＣＰＵなどの演算装置上で実行されるソフトウェアで構成される。
【００１７】
以下に、筐体１Ａの内部における空気流れについて説明する。まず、送風ファン４が回転されると、冷却器３で冷却された冷気は、風路５を通って、各貯蔵室に送出されて各貯蔵室を冷却する。野菜室５００に導入された空気は、冷蔵室用帰還風路（図示省略）に冷蔵室１００からの戻り冷気を通って野菜室５００内を循環させることで野菜室５００内を冷却し、野菜室用帰還風路（図示省略）を通って冷却器３に戻される。
【００１８】
切替室２００には、食品を収納する切替室収納ケース２０１が設けられている。冷凍室４００には、食品を収納する冷凍室収納ケース４０１が設けられている。野菜室５００には、食品を収納する野菜室収納ケース５０１が設けられている。なお、以上の説明においては、各貯蔵室に設けられる収納ケースの個数が１つである例について説明したが、冷蔵庫１の全体の容量を考慮して整理性等が向上する場合には、収納ケースを２つ以上設けてもよい。
【００１９】
図３に示されるように、扉３０の前面下方には操作表示部６が設けられている。操作表示部６は、例えば、各室の温度や設定を調節する操作スイッチ及び各室の温度などを表示する液晶表示部（図示省略）等から構成されている。また、操作表示部６は、例えば、静電容量の変化量を検知して動作する静電容量式タッチセンサーを備える。
【００２０】
図４に示されるように、操作表示部６の領域内には、スタートボタン１７及び複数の操作アイコン１８等のアイコンが表示されている。スタートボタン１７は、操作されることで操作アイコン１８を点灯させるものである。操作アイコン１８は、例えば、操作された場合に設定される機能自体や機能を使用する場面を連想させる図形（図柄）で構成される。
【００２１】
図５は本発明の実施の形態１に係る冷蔵庫１の扉３０の構成部材を示す図である。図５に示されるように、扉３０の前面は、例えば、透明部材１０で構成されている。また、扉３０は、電極シート１１と、板状部材１２と、基板１３と、空間保持部品１５と、発光源２６と、を備える。
【００２２】
透明部材１０の材質は、例えば、ガラスや樹脂等の透明で光を透過する部材で構成される。なお、透明部材１０の製造方法は、例えば、印刷やフィルム貼り等の種々の方法を採用することができる。電極シート１１は、例えば、弾力性のある樹脂で厚み０．５ｍｍ以下の薄膜を基材とする部材である。なお、電極シート１１に関し、基材表面の印刷方法やコーティングの有無、表面粗さは特に限定されない。
【００２３】
板状部材１２は、電極シート１１を支持し、隣接する操作アイコン１８の光を遮光させる遮光壁として機能する部材であり、例えば樹脂で構成されている。板状部材１２は、例えば、電極シート１１よりも扉３０の背面側に設けられている。基板１３は、マイコン（図示省略）等を有する部材であり、例えば、板状部材１２よりも扉３０の背面側に設けられている。基板１３には、発光源２６が取り付けられている。発光源２６の詳細については後述する。空間保持部品１５は、電極シート１１、板状部材１２、及び基板１３を保持する部材であり、例えば、基板１３よりも扉３０の背面側に設けられている。
【００２４】
図６は本発明の実施の形態１に係る冷蔵庫１の電極シート１１及び板状部材１２を示す図である。図７は本発明の実施の形態１に係る冷蔵庫１の板状部材１２の背面図である。図８は本発明の実施の形態１に係る冷蔵庫１の板状部材１２の正面図である。
【００２５】
図６〜図８に示されるように、板状部材１２は、扉３０の内部に挿入される部材であり、例えば、正面視して略矩形状に構成されている。板状部材１２は、４つの側面を有している。板状部材１２の４つの側面のうち２つは、扉３０に先行して挿入される挿入側側面１２ａと、挿入側側面１２ａの反対側に位置する反挿入側側面１２ｂと、で構成される。板状部材１２は、突出部１２Ａを有し、板状部材１２には、例えば、複数の略矩形状の貫通孔１２Ｂが設けられている。
【００２６】
突出部１２Ａは、例えば、板状部材１２の側面のうち挿入側側面１２ａに設けられている、上下抜きの型のみで構成可能な部位である。突出部１２Ａは、例えば、挿入側側面１２ａの両端から挿入方向に向かって突出するように設けられている。突出部１２Ａは、先端に角Ｒが形成されている。突出部１２Ａの先端に角Ｒを形成することで、板状部材１２を挿入空間３０Ｂに挿入する場合に、透明部材１０が傷付く可能性を低減することができる。貫通孔１２Ｂは、発光源２６から出射される光を選択的に電極シート１１側に通すための開口部であり、板状部材１２の厚み方向に貫通するように設けられている。
【００２７】
なお、以上の説明においては、突出部１２Ａが、挿入側側面１２ａの両端から挿入方向に向かって突出するように設けられる例について説明したが、突出部１２Ａが設けられる位置は、挿入側側面１２ａの両端に限定されるものではない。突出部１２Ａは、板状部材１２が挿入空間３０Ｂ内に設けられた場合における扉３０の正面視において、突出部１２Ａと、操作表示部６に表示される操作アイコン１８や文字等の表示と、が重ならない位置に設けられていればよい。
【００２８】
図９は本発明の実施の形態１に係る冷蔵庫１の電極シート１１を示す図である。図９に示されるように、電極シート１１は、基材１９、パターン配線層２０、透明導電インク層２１、絶縁インク層２２、アイコン印刷層（遮光層）２３、光拡散印刷層２４、及び糊印刷層２５を有する。
【００２９】
基材１９よりも扉３０の前面側には、パターン配線層２０、透明導電インク層２１、絶縁インク層２２が設けられている。基材１９よりも筐体１Ａの背面側（基板側）には、アイコン印刷層（遮光層）２３、光拡散印刷層２４、糊印刷層２５が設けられている。透明導電インク層２１及び光拡散印刷層２４は、扉３０の左右方向において略一致するような位置に設けられている。透明導電インク層２１及び光拡散印刷層２４は、扉３０の左右方向において糊印刷層２５が設けられる位置と一致しないように設けられている。
【００３０】
図１０は本発明の実施の形態１に係る冷蔵庫１の板状部材１２の斜視図である。図１０中の矢印は、板状部材１２が挿入空間３０Ｂに挿入される挿入方向を示している。図１０に示されるように、扉３０の下面には開口部３０Ａが設けられ、扉３０の内部には挿入空間３０Ｂが設けられている。扉３０の各側面には樹脂カバー３１が設けられている。
【００３１】
開口部３０Ａは扉３０の外部と挿入空間３０Ｂとを連通させる開口部である。挿入空間３０Ｂは、板状部材１２を収納する空間である。なお、開口部３０Ａを設ける場所は、扉３０の下面に限定されるものではなく、扉３０の下面に挿入空間３０Ｂを設けるスペースを確保できないような場合には、例えば、扉３０の側面に挿入空間３０Ｂを設けるようにしてもよい。このように構成することで、扉３０が観音扉で構成されるような場合においても、扉３０のサイズを大きくすることなく挿入空間３０Ｂを設けることができる。樹脂カバー３１は、扉３０とのラップ面を保持するものであり、例えば、扉３０の４つの側面に設けられている。このラップ面には、透明部材１０の裏面と密着するように両面テープ（図示省略）が貼り付けられている。
【００３２】
図１１は本発明の実施の形態１に係る冷蔵庫１の扉３０の縦断面図である。図１２は図１１のＡ部分の拡大図である。図１３は図１１のＡ部分の拡大図であり、板状部材１２が挿入空間３０Ｂに挿入される状態を示す図である。
【００３３】
図１１に示されるように、扉３０の下面に設けられる樹脂カバー３１は、少なくとも、透明部材１０の背面下端であって開口部３０Ａの開口縁よりも内方に設けられている。透明部材１０よりも扉３０の背面側（図１１の紙面右側）には内板３４が設けられている。内板３４は、透明部材１０に対向するように設けられている。図１２，図１３に示されるように、透明部材１０と内板３４との間には空間保持部品１５及び真空断熱材３３が設けられている。透明部材１０と内板３４との間に位置する空間のうち、空間保持部品１５及び真空断熱材３３が設けられていない空間には、ウレタン３２が充填されている。
【００３４】
図１４は本発明の実施の形態１に係る冷蔵庫１の発光源２６と他の部材との位置関係を示す図である。図１４に示されるように、板状部材１２は、貫通孔１２Ｂが扉３０の背面側から前面側に向かって（図１４の紙面右側から紙面左側に向かって）大きくなるように構成されている。貫通孔１２Ｂには発光源２６が設けられている。
【００３５】
発光源２６は、例えば、発光ダイオードで構成されており、例えば、各貫通孔１２Ｂに対応して１つずつ設けられている。発光源２６が１つの貫通孔１２Ｂに対応して設けられることで、発光源２６から照射された光が意図した空間外に漏れることを抑制することができる。なお、発光源２６は、別の発光源で構成されていてもよい。また、図１４には示していないが、発光源２６は、例えば、貫通孔１２Ｂの数と同一数だけ設けられている。ただし、発光源２６の具体的な個数は、これに限定されるものではない。
【００３６】
発光源２６から出射された光は、筐体１Ａの前面に向かうにつれて拡散し、電極シート１１を照射することで、操作アイコン１８や文字等が操作表示部６に浮かび上がる。これにより、使用者は操作表示部６に表示される操作アイコン１８や文字等を視認することができる。なお、例えば、電極シート１１が板状部材１２に取り付けられ、板状部材１２が挿入空間３０Ｂに挿入され、発光源２６が貫通孔１２Ｂに設けられた状態で、板状部材１２の厚み方向に、電極シート１１、貫通孔１２Ｂ、発光源２６が直線上に位置している。
【００３７】
以下に、板状部材１２を透明部材１０に挿入する場合における動作の一例について説明する。なお、板状部材１２を挿入空間３０Ｂに挿入するとき、電極シート１１が板状部材１２に取り付けられ、空間保持部品１５が扉３０の内部に設けられた状態となっている。
【００３８】
まず、使用者は、突出部１２Ａが板状部材１２の他の部位に先行して挿入空間３０Ｂに挿入されるように板状部材１２を把持して挿入空間３０Ｂに挿入する。これにより、板状部材１２が、突出部１２Ａの突出量分だけ挿入空間３０Ｂに挿入されると、板状部材１２の挿入角度が規制され、板状部材１２のうち突出部１２Ａ以外の部位が透明部材１０を傷つける可能性を低減できる。
【００３９】
なお、透明部材１０の背面側下端には樹脂カバー３１が設けられているため、板状部材１２を挿入空間３０Ｂに挿入する場合に、板状部材１２は、少なくとも樹脂カバー３１の肉厚分だけ、透明部材１０と離れて位置している。
【００４０】
板状部材１２を透明部材１０に挿入するにつれて、突出部１２Ａは挿入空間３０Ｂの奥側（扉３０の上面方向）に位置し、突出部１２Ａの先端は図１３中の「接触点Ｉ」に接触することとなる。ここで、「接触点Ｉ」とは、透明部材１０の背面であって、透明部材１０の背面に設けられる樹脂カバー３１の上端よりも上方に位置する点である。
【００４１】
板状部材１２の全てが挿入空間３０Ｂに挿入されると、板状部材１２の全ての部位が、透明部材１０及び透明部材１０の背面に設けられる樹脂カバー３１によって生じる段差を乗り越えて樹脂カバー３１の上端よりも上方に位置する。これにより、板状部材１２は、透明部材１０の背面に接触又は近接するように位置する。板状部材１２の全ての部位が挿入空間３０Ｂに対して挿入された状態で、板状部材１２のうち突出部１２Ａが設けられる側面の反対側に位置する側面は、扉３０のうち開口部３０Ａが設けられる側面と同一平面上に位置する。なお、板状部材１２の全ての部位が挿入空間３０Ｂに位置した状態で、板状部材１２は、「接触点ＩＩ」において空間保持部品１５と当接する。ここで、「接触点ＩＩ」とは、空間保持部品１５の前面の部位である。
【００４２】
板状部材１２が挿入空間３０Ｂに挿入されて板状部材１２が挿入空間３０Ｂの内部に位置した状態において、板状部材１２は空間保持部品１５に固定される。板状部材１２を空間保持部品１５に固定する方法は、例えば、ネジ止め等の周知の方法を採用することができる。また、十分な取付強度を確保できる場合には、板状部材１２及び空間保持部品１５の一方に爪を設け、板状部材１２及び空間保持部品１５の他方に爪に係合する係合部材を設け、上述の爪と上述の係合部材とを係合するように構成してもよい。
【００４３】
なお、突出部１２Ａを設ける領域は図示のものに限定されないが、突出部１２Ａが破損しない程度になるべく小さく構成することが望ましい。このように構成すれば、突出部１２Ａが挿入空間３０Ｂに挿入された場合において、突出部１２Ａは透明部材１０を傷つける可能性を低減することができる。
【００４４】
また、板状部材１２の側面のうち突出部１２Ａが設けられる側面の反対側に位置する側面は、扉３０のうち開口部３０Ａが設けられる側面と同一色で構成されている。このため、使用者は開口部３０Ａの存在に気付きにくく、意匠性を損なう可能性を低減することができる。
【００４５】
以上のように、本実施の形態１に係る冷蔵庫１は、筐体１Ａと、板状部材１２と、筐体１Ａの前面に取り付けられ、板状部材１２を挿入する挿入空間３０Ｂを内部に有する扉３０と、を備え、扉３０は、挿入空間３０Ｂよりも少なくとも前面側が透明部材１０で構成され、扉３０の一側面には、扉３０の外部と挿入空間３０Ｂとを連通する開口部３０Ａが設けられ、板状部材１２の側面のうち、板状部材１２が挿入空間３０Ｂに対して挿入される挿入方向に位置する側面の一部には、挿入方向に向かって突出する突出部１２Ａが設けられている。このため、突出部１２Ａの突出量分だけ突出部１２Ａが挿入空間３０Ｂに収納された状態で、板状部材１２が挿入方向に移動する際の角度がほぼ規定され、板状部材１２を挿入空間３０Ｂに収納する過程において、板状部材１２が透明部材１０を傷つける可能性を低減することができる。以上のようにして、従来よりも意匠性を損なわないで従来よりもコストを低減することができる。
【００４６】
また、突出部１２Ａは、板状部材１２が挿入方向に位置する側面の両端に設けられている。このため、仮に、板状部材１２を挿入空間３０Ｂに挿入する過程で突出部１２Ａが透明部材１０に接触して透明部材１０が傷ついても、通常、操作表示部６のうちアイコン等を表示する表示領域は、透明部材１０の傷付いた箇所と重なる位置ではないため、意匠性に影響を与える可能性を低減することができる。
【００４７】
また、電極シート１１が板状部材１２に取り付けられ、板状部材１２よりも扉３０の背面側に発光源２６が設けられた状態において、板状部材１２の厚み方向に、電極シート１１、貫通孔１２Ｂ、発光源２６が直線上に位置している。このため、発光源２６から出射された光が電極シート１１に照射され易くなり、発光源２６を発光させるための電力量が過度に要することがなくなる。
【００４８】
また、板状部材１２が挿入空間３０Ｂに対して挿入された状態で、板状部材１２のうち突出部１２Ａが設けられる側面の反対側に位置する側面は、扉３０のうち開口部３０Ａが設けられる側面と同一平面上に位置する。これにより、開口部３０Ａを覆う蓋を別途設ける必要がなくなり、開口部３０Ａを覆う蓋を別途設ける場合に比べてコストを低減することができる。
【００４９】
また、板状部材１２の側面のうち突出部１２Ａが設けられる側面の反対側に位置する側面は、扉３０のうち開口部３０Ａが設けられる側面と同一色で構成されている。このため、使用者は開口部３０Ａの存在に気付きにくく、意匠性を損なう可能性を低減することができる。
【符号の説明】
【００５０】
１  冷蔵庫、１Ａ  筐体、２  圧縮機、３  冷却器、４  送風ファン、５  風路、６  操作表示部、１０  透明部材、１１  電極シート、１２  板状部材、１２Ａ  突出部、１２Ｂ  貫通孔、１２ａ  挿入側側面、１２ｂ  反挿入側側面、１３  基板、１５  空間保持部品、１７  スタートボタン、１８  操作アイコン、１９  基材、２０  パターン配線層、２１  透明導電インク層、２２  絶縁インク層、２３  アイコン印刷層（遮光層）、２４  光拡散印刷層、２５  糊印刷層、２６  発光源、３０  扉、３０Ａ  開口部、３０Ｂ  挿入空間、３１  樹脂カバー、３２  ウレタン、３３  真空断熱材、３４  内板、１００  冷蔵室、２００  切替室、２０１  切替室収納ケース、３００  製氷室、４００  冷凍室、４０１  冷凍室収納ケース、５００  野菜室、５０１  野菜室収納ケース、Ｉ  接触点、Ｒ  角。
【図１】
2016208072.tif 000003
【図２】
2016208072.tif 000004
【図３】
2016208072.tif 000005
【図４】
2016208072.tif 000006
【図５】
2016208072.tif 000007
【図６】
2016208072.tif 000008
【図７】
2016208072.tif 000009
【図８】
2016208072.tif 000010
【図９】
2016208072.tif 000011
【図１０】
2016208072.tif 000012
【図１１】
2016208072.tif 000013
【図１２】
2016208072.tif 000014
【図１３】
2016208072.tif 000015
【図１４】
2016208072.tif 000016
【手続補正書】
【提出日】平成29年9月14日(2017.9.14)
【手続補正１】
【補正対象書類名】明細書
【補正対象項目名】０００８
【補正方法】変更
【補正の内容】
【０００８】
本発明は、アイコンが印刷された電極シートが取り付けられた板状部材と、筐体の前面に取り付けられ、前記板状部材を挿入する挿入空間を内部に有する扉と、を備え、前記扉は、前記挿入空間よりも少なくとも前面側が透明部材で構成され、前記扉の一側面には、前記扉の外部と前記挿入空間とを連通する開口部が設けられ、前記板状部材には、前記板状部材が前記挿入空間に対して挿入される挿入方向に突出し、前記アイコンと挿入方向に対して重ならない位置に突出部が設けられたものである。
【手続補正２】
【補正対象書類名】特許請求の範囲
【補正対象項目名】全文
【補正方法】変更
【補正の内容】
【特許請求の範囲】
【請求項１】
アイコンが印刷された電極シートが取り付けられた板状部材と、
筐体の前面に取り付けられ、前記板状部材を挿入する挿入空間を内部に有する扉と、を備え、
前記扉は、前記挿入空間よりも少なくとも前面側が透明部材で構成され、
前記扉の一側面には、前記扉の外部と前記挿入空間とを連通する開口部が設けられ、
前記板状部材には、前記板状部材が前記挿入空間に対して挿入される挿入方向に突出し、前記アイコンと挿入方向に対して重ならない位置に突出部が設けられた
冷蔵庫。
【請求項２】
前記板状部材には厚み方向に貫通する貫通孔が設けられ、
前記板状部材よりも前記扉の前面側には前記電極シートが設けられ、
前記板状部材よりも前記扉の背面側には発光源が設けられ、
前記発光源は、前記電極シート側に向かって光が出射されるように構成されている
請求項１に記載の冷蔵庫。
【請求項３】
前記電極シートが前記板状部材に取り付けられ、前記板状部材が前記挿入空間に挿入された状態において、前記板状部材の厚み方向に、前記電極シート、前記貫通孔、前記発光源が直線上に位置している
請求項２に記載の冷蔵庫。
【請求項４】
前記透明部材の背面下端であって前記開口部の開口縁よりも内方には樹脂部材が設けられている
請求項１〜請求項３の何れか一項に記載の冷蔵庫。
【請求項５】
前記板状部材が前記挿入空間に対して挿入された状態で、前記板状部材のうち前記突出部が設けられる側面の反対側に位置する側面は、前記扉のうち前記開口部が設けられる側面と同一平面上に位置する
請求項１〜請求項４の何れか一項に記載の冷蔵庫。
【請求項６】
前記板状部材のうち前記突出部が設けられる側面の反対側に位置する側面は、前記扉のうち前記開口部が設けられる側面と同一色で構成されている
請求項５に記載の冷蔵庫。
【国際調査報告】
2016208072.tif 000017
2016208072.tif 000018
2016208072.tif 000019
2016208072.tif 000020